(57)【特許請求の範囲】
【請求項１】
竪枠を有する枠と、竪枠に対向する竪框を有する障子と、タイト材とを備え、竪枠と竪框との間には障子の一面側と他面側に開口した隙間が設けてあり、タイト材は竪枠と竪框との間の上部と下部に設けてあり、竪框は、少なくとも上部のタイト材と下部のタイト材との間で、障子の一面側において竪枠と竪框との間の隙間の開口に対向する位置に突出した水返し部を有し、竪枠と竪框の間に障子の一面側と他面側とに連通する通気路を形成していることを特徴とする戸。
【発明の詳細な説明】
【技術分野】
【０００１】
本発明は、戸に関する。
【背景技術】
【０００２】
例えば、浴室戸では、浴室内の換気を図りつつ浴室から脱衣室側への水に浸入を防止するように戸に通気路を形成することが公知である。
かかる従来技術として、非特許文献１には、図１７に示すように、障子１００の竪框１０１に竪枠１０５の溝内に突出する突出片１０３を設け、竪枠１０５の溝内にも突出片１０７を設けて、竪枠１０５と竪框１０１との間に障子１００の一面側と他面側とに連通する通気路を形成することが開示されている。
【先行技術文献】
【特許文献】
【０００３】
【非特許文献１】第１６４頁「ＳＹＳＴＥＭ  ＢＡＴＨＲＯＯＭ  Ｌａ・ＢＡＴＨ  ＴＡＳＴＥ／システムバスルーム  ラ・バス  テイスト」ヨ−ＰＵ２９−３  株式会社ＬＩＸＩＬ  ２０１１年４月１日発行
【発明の概要】
【発明が解決しようとする課題】
【０００４】
しかし、非特許文献１の技術では、竪枠１０５の溝内に竪框１０１の突出片１０３を配置して竪枠１０５と竪框１０１との間に通気路を形成しているので、通気路の清掃等のメンテナンスがし難く、例えば、障子１００を枠から外さないと通気路のメンテナンスができないという問題があった。
【０００５】
そこで、本発明は、竪枠とこれに対向する竪框との間に通気路を形成するものであって、通気路を通って水が障子の一面側から他面側へ浸入するのを防止できると共に通気路のメンテナンスが容易にできる戸の提供を目的とする。
【課題を解決するための手段】
【０００６】
請求項１に記載の発明は、竪枠を有する枠と、竪枠に対向する竪框を有する障子と、タイト材とを備え、竪枠と竪框との間には障子の一面側と他面側に開口した隙間が設けてあり、タイト材は竪枠と竪框との間の上部と下部に設けてあり、竪框は、少なくとも上部のタイト材と下部のタイト材との間で、障子の一面側において竪枠と竪框との間の隙間の開口に対向する位置に突出した水返し部を有し、竪枠と竪框の間に障子の一面側と他面側とに連通する通気路を形成していることを特徴とする戸である。
【発明の効果】
【０００７】
本発明によれば、竪枠とこれに対向する竪框との間で且つ上部のタイト材と下部のタイト材との間の隙間を障子の一面側から他面側へ連通する通気路とすることができる。
通気路では、障子の一面側には、竪枠と竪框との間の隙間に対向した位置に水返しを設けているので、障子の一面側から通気路への水の浸入を防止できる。
竪枠と竪框の間の下部と上部にはタイト材を設けているので、特に水を受けやすい戸の上部と下部とで、防水を高めることができる。例えば、浴室戸の場合には、浴槽から溢れ出たり、浴室の床から跳ね上がった水は下部のタイト材により水の浸入を防止し、シャワーを浴びたとき等の高い位置で降り注ぐ水は上部のタイト材で水の浸入を防止する。
障子を開くと、通気路を形成している竪框及び竪枠の対向面が露出できるから通気路の清掃等のメンテナンスが容易にできる。
【図面の簡単な説明】
【０００８】
【図１】本発明の第１実施の形態にかかる戸の図であり、図７（ｂ）に示すＡ−Ａ断面図である。
【図２】本発明の第１実施の形態にかかる戸の図であり、図７（ｂ）に示すＢ−Ｂ断面図である。
【図３】図１における竪枠と竪框と通気部を拡大して示すと共にタイト材を除いて示す横断面図である。
【図４】図３に示す横断面図において、障子を所定角度開いた状態を示す図であり、（ａ）は１０°、（ｂ）は８０°、（ｃ）は１００°開いた状態である。
【図５】本発明の第１実施の形態にかかる戸において、竪枠に下部タイト材を取り付ける前の状態を示す図であり、脱衣室側から見た斜視図である。
【図６】本発明の第１実施の形態にかかる戸において、竪枠に下部タイト材を取り付ける前の状態を示す図であり、浴室側から見た斜視図である。
【図７】本発明の第１実施の形態にかかる戸の図であり、（ａ）は浴室側から見た正面図であり、（ｂ）は脱衣室側から見た正面図である。
【図８】本発明の第２実施の形態にかかる戸の横断面図である。
【図９】本発明の第２実施の形態にかかる戸の縦断面図である。
【図１０】本発明の第２実施の形態にかかる戸において、竪枠に下部タイト材を取り付けた状態を示す図であり、脱衣室側から見た斜視図である。
【図１１】本発明の第３実施の形態にかかる戸の横断面図であり、（ａ）は障子を閉じた状態を示す図であり、（ｂ）は障子を開けた状態を示す図である。
【図１２】本発明の第３実施の形態にかかる戸を脱衣室側から見た正面図である。
【図１３】本発明の第４実施の形態にかかる戸の横断面図であり、（ａ）は障子を閉じた状態を示す図であり、（ｂ）は障子を開けた状態を示す図である。
【図１４】本発明の第４実施の形態にかかる戸の縦断面である。
【図１５】本発明の第４実施の形態にかかる戸において、障子の竪框を抜き出して示す横断面図であり、（ａ）は障子を開く操作を示し、（ｂ）は障子を閉じる操作を示す図である。
【図１６】本発明の第４実施の形態にかかる戸を浴室側から見た正面図である。
【図１７】従来の戸の図であり、（ａ）は横断面図であり、（ｂ）は縦断面図である。
【発明を実施するための形態】
【０００９】
以下に、添付図面を参照して本発明の実施の形態を説明するが、まず、図１〜図７を参照して本発明の第１実施の形態を説明する。第１実施の形態に係る戸１は、浴室戸であり、図７に示すように、枠３と障子５とを備えており、障子５はドアである。
枠３は、上枠７と、下枠９と、吊り元側竪枠１１と、戸先側竪枠１３とを備えている。
障子５は、上框１５と、下框１７と、吊り元側竪框１９と、戸先側竪框２１とでパネル２３の周囲を囲んでいる。
【００１０】
図１及び図３に示すように、吊り元側竪枠１１と吊り元側竪框１９とは、上部と下部とで各々ヒンジ２５により連結してあり、ヒンジ２５の軸芯２５ａは吊り元側竪枠１１よりも浴室側（障子一面側）に突出して位置すると共に浴室の内壁１０との間に吊り元側竪枠１１の略左右方向見付け寸法分の隙間をあけて位置している。ヒンジ２５の軸芯２５ａの浴室側への突出寸法は、吊り元側竪枠１１の浴室側見付け面よりも軸芯２５ａの外径寸法分と略同寸法で突出している。
尚、各ヒンジ２５は、脱衣室側からの操作により軸芯２５ａを離脱できるようになっている。
【００１１】
吊り元側竪枠１１には、吊り元側竪框１９との間に間隔をあけて対向する対向壁部２７が設けてあり、対向壁部２７は吊り元側竪枠１１の見込み面１１ａから枠３の内周側に突設している。吊り元側竪枠１１の見込み面１１ａと対向壁部２７とで横断面が略Ｌ字形状を成しており、吊り元側竪框１９の見込み面１９ａと脱衣室側の見付け面１９ｂとで横断面Ｌ字形状を成しており、吊り元側竪枠１１のＬ字部分と吊り元側竪框のＬ字部分とを隙間をあけて対向配置して、浴室側開口５１と脱衣室側開口５２とを連通する横断面がＬ字形状の通気路Ｋを形成している。
【００１２】
図１及び図２に示すように、吊り元側竪枠１１の対向壁部２７には、上部タイト材２９と下部タイト材３１とが設けてある。上部タイト材２９は、吊り元側竪枠１１と吊り元側竪框１９との間の上部に設けてあり、例えば上枠７の下面から約１５ｃｍの寸法で設けてある。下部タイト材３１は、吊り元側竪枠１１と吊り元側竪框１９との間の下部に設けてあり、例えば下枠９の上面から約１５ｃｍの寸法で設けてある。
上部タイト材２９と下部タイト材３１とは略同じ構成であるから、以下の説明では下部タイト材３１について、説明する。
図５及び図６に示すように、吊り元側竪枠１１の対向壁部２７には、その下枠側端に切除部２７ａが形成してあり、浴室側止水材３３と脱衣室側止水材３５とで対向壁部２７を挟んで、対向壁部２７の切除部２７ａを通るねじ３７で、浴室側止水材３３と脱衣室側止水材３５を対向壁部２７に固定している。浴室側止水材３３の浴室側には下部タイト材３１が設けてある。また、浴室側止水材３３には、その下面と対向壁部２７側面には各々止水材４１が設けてある。
下部タイト材３１は下枠９の上面に設けた下枠タイト材４３に当接して、下部タイト材３１と下枠タイト材４３を連続して設けてある。
【００１３】
図１及び図２に示すように、吊り元側竪框１９には、その浴室側の見付け面に上下方向に亘って水返し部４５が設けてある。図２に示すように、水返し部４５の下端は浴室の床面４０との間に隙間Ｍをあけて設けてあり、隙間Ｍは例えば約５ｃｍである。
図１及び図３に示すように、水返し部４５は、吊り元側竪框１９の浴室側見付け面１９ｃと見込み面１９ａとに取付ける取付け部４７と、取付け部４７から浴室側に起立して先端を障子５の外周側に向けて屈曲した返し部４９とを備えている。返し部４９は通気路Ｋの浴室側開口５１と対向して位置していると共に先端が浴室壁１０に間隔をあけて対向している。また、返し部４９は、ヒンジ２５がある位置では、ヒンジ２５の軸芯２５ａの浴室側面を覆っている。
本実施の形態では、水返し部４５は樹脂材製であり、返し部４９は軟質樹脂製としてある。
【００１４】
吊り元側竪框１９の脱衣室側見付面１９ｂには、吊り元側竪框１９の見込み面１９ａと脱衣室側見付け面１９ｂとが成すコーナー部の近傍に、上下方向に亘って水切り部５３が設けてある。本実施の形態では、水切り部５３は溝である。
【００１５】
次に、第１実施の形態にかかる戸の作用効果について説明する。
図３に示すように、障子５を閉じた状態にあるときに、例えば、浴室内の換気扇が作動して浴室内が減圧になると、脱衣室側の空気が脱衣室側開口５２から通気路Ｋを通って浴室側開口５１から浴室側に流入して浴室内が換気される。
一方、浴室内でのシャワー水や浴室内で跳ねて飛散する水が、通気路Ｋの浴室側開口５１に向かうと、水返し部４５の返し部４９により浴室側開口５１に入るのが防止される。
【００１６】
図４（ａ）〜（ｃ）に示すように、障子５を枠３に対して開くことにより、吊り元側竪枠１１と吊り元側竪框１９との間の通気路Ｋを開き、図４（ｂ）及び（ｃ）に示すように、所定角度以上開くと、通気路Ｋを形成している吊り元側竪枠１１の見込み面１１ａ及び対向壁部２７の浴室側面２７ｂと、吊り元側竪框１９の見込み面１９ａ及び脱衣室側見付け面１９ｂとが露出できる。したがって、通気路Ｋを形成している吊り元側竪枠１１と吊り元側竪框１９との間の清掃等やメンテナンスは、枠３に対して障子５を開くだけで、容易に行うことができる。
【００１７】
この第１実施の形態によれば、吊り元側竪枠１１と吊り元側竪框１９との間で且つ上部タイト材２９と下部タイト材３１との間の隙間を脱衣室側から浴室側へ連通する通気路Ｋとすることができる。
障子５の浴室側には、吊り元側竪枠１１と吊り元側竪框１９との間に形成した通気路Ｋの浴室側開口５１の対向した位置に水返し部４９を設けているので、浴室から通気路Ｋへの水の浸入を防止できる。
吊り元側竪枠１１と吊り元側竪框１９の間の下部と上部にはタイト材２９、３１を設けているので、特に水を受けやすい戸１の上部と下部とで、防水を高めることができる。例えば、浴室の浴槽から溢れ出たり、浴室の床から跳ね上がった水は下部タイト材２９により水の浸入を防止し、シャワーを浴びたとき等の高い位置で降り注ぐ水は上部タイト材３１で水の浸入を防止する。
特に、吊り元側竪枠１１と吊り元側竪框１９の間の下部では、下部タイト材３１が下枠９の上面に設けた下枠タイト材４３に当接して連続した止水を図っているので、浴室戸１の吊り元側コーナー部における防水を図ることができる。
障子５を開くと、通気路Ｋを形成している吊り元側竪框１９及び吊り元側竪枠１１の対向面が露出できるから通気路Ｋの清掃等のメンテナンスが容易にできる。
【００１８】
万が一、浴室側開口５１から水が通気路Ｋ内に入り込んだ場合でも、図１及び図３に示すように、通気路Ｋは略Ｌ字状に屈曲してあるので、吊り元側竪框１９の脱衣室側見付け面１９ｂに回り込む水の勢いを弱めて水を落下し易くするから、脱衣室側へ流れ込むのを防止できる。また、下部タイト材３１及び上部タイト材２９は各々、浴室側開口５１から離れた位置に設けてあるので、浴室側開口５１から通気路Ｋに水が入った場合にも、下部タイト材３１及び上部タイト材２９まで距離があるから、各タイト材３１、２９に到達するまでに自重により降下しながら回り込み、最終的に下部タイト材３１及び上部タイト材２９で確実に止水する。
更に、脱衣室側見付け面１９ｂには水切り部５３を形成しているので、万が一脱衣室側の見付け面１９ｂに回り込んだ水があっても、水切り部５３により脱衣室側への移動が阻止されると共に水切り部５３に沿って下方に落下するので、浴室側に戻すことができる。
水切り部５３よりも脱衣室側には下部タイト材３１又は上部タイト材２９を設けてあるので、更に水切り部５３を越えてきた水があったとしても脱衣室側へ流れるのを確実に止めることができる。
図４に示すように、水返し部４５の返し部４９の先端は浴室内壁１０との間に間隔をあけて対向しているので、障子５をヒンジ２５の軸芯２５ａ周りを回動したときに返し部４９の先端が浴室側面と干渉するのを防止でき、障子の開き角度を十分に確保することができる。
図２に示すように、水返し部４５の下端は浴室の床面４０との間に隙間Ｍを形成しているので、浴室の床面４０の清掃の邪魔になり難い。
水返し部４５は、通気路Ｋの浴室側開口５１と対向して位置していると共に先端が浴室壁１０に間隔をあけて対向しているので、図３に示すように、通気路Ｋから浴室内に流入する空気は、浴室壁１０に沿って流すことができるので、浴室内に流入する空気が浴室内にいる人に直接あたることを防止でき、浴室内に流入する空気が直接あたる不快感が生じ難い。
水返し部４５はヒンジ２５の軸心２５ａの浴室側面を覆っているので、浴室側からヒンジ２５が見えないから、外観が良い。
枠３と障子５との間の下側に設けたヒンジ２５は、下枠９との間に間隔をあけているので、下枠９の上面を浴室側に向けて流れる水の流れをヒンジ２５が邪魔することがなく、塵や髪の毛等がヒンジ２５と下枠９との間に滞留するのを防止できる。
図４に示すように、ヒンジ２５の軸芯２５ａの浴室側への突出寸法は、吊り元側竪枠１１の浴室側見付け面よりもヒンジの軸芯２５ａの外径寸法分と略同寸法突出しているので、軸芯２５ａの周りを障子５が回動した場合に、水返し部４５の先端が吊り元側竪枠１１に干渉して破損するのを防止できる。
水返し部４５の返し部４９は軟質樹脂製としているので、万が一、吊り元側枠１１と水返し部４５の返し部の先端との間に指が入り込んでも、返し部が変形して指はさみを防止できる。
各ヒンジ２５は、脱衣室側からの操作により軸芯２５ａを離脱できるようになっているので、浴室内部で人が動けなくなる等の緊急事態が生じた場合には、脱衣室側から軸芯２５ａを離脱することにより、障子５を枠３から外すことができる。
【００１９】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図８〜図１０に本発明の第２実施の形態を示す。第２実施の形態にかかる戸１は、浴室戸で且つ片引き戸である。
この第２実施の形態では、戸先側竪枠１３と戸先側竪框２１との間の上部に上部タイト材２９が設けてあり、下部に下部タイト材３１が設けてあり、水返し部４５は戸先側竪框２１に設けてある。
【００２０】
第１実施の形態と同様に、上部タイト材２９と下部タイト材３１とは同じ構成であるから、下部タイト材３１について説明し、上部タイト材２９の説明は省略する。尚、上部タイト材２９は上枠７の下面から約１５ｃｍの寸法で設けてあり、下部タイト材３１は下枠９の上面から約１５ｃｍの寸法で設けてある。
図１０に示すように、戸先側竪枠１３には、戸先側竪框２１の戸先部２１ａを受ける戸先受部５５が形成されており、戸先受部５５に下部タイト材３１を取り付けた止水材４１がねじ３７で固定してある。戸先受部５５には、浴室側で枠３の内周側に突設した浴室側突部５７と、脱衣室側で枠３の内周側に突設した脱衣室側突部５９と、浴室側突部５７と脱衣室側突部５９との間で枠３の内周側に突設した水切り部５３（図８参照）とが形成されている。尚、止水材４１の取り付け箇所では、水切り部５３を切除してある。
下部タイト材３１は浴室側と脱衣室側とに各々設けて、浴室側と脱衣室側で各々戸先側竪框２１の戸先部２１ａに当接している。
【００２１】
図８及び図９に示すように、水返し部４５は、戸先側竪框２１に一体に形成して、戸先側竪框２１の上下亘って設けてあり、上端は上枠７との間に間隔をあけてあり、下端は下枠９との間に各々間隔をあけて設けてある。
図８に示すように、水返し部４５は、戸先側竪框２１の浴室側見付け面２１ｃから浴室側に突設してあり、先端部を戸先側竪枠１３に向けた返し部４９が形成してあり、返し部４９の先端は戸先側竪枠１３との間に間隔をあけて対向している。
水返し部４５は、上部タイト材２９と下部タイト材３１との間で、戸先側竪枠１３との間に通気路Ｋを形成して、浴室側と脱衣室側との通気を図っている。戸先側竪枠１３に設けた脱衣室側突部５９と浴室側突部５７の間に戸先側竪框１９の戸先部２１ａが入り込んで、ジグザグ状の通気部Ｋを形成しており、通気部Ｋの浴室側開口５１に水返し部４５の返し部４９が対向して位置している。
【００２２】
この第２実施の形態によれば、戸先側竪枠１３と戸先側竪框２１との間で且つ上部タイト材２９と下部タイト材３１との間の隙間を脱衣室側から浴室側へ連通する通気路Ｋとすることができる。
通気路Ｋでは、障子５の浴室側には、戸先側竪枠１３と戸先側竪框２１との間に形成した通気路の浴室側開口５１の対向した位置に水返し部４９を設けているので、浴室から通気路Ｋへの水の浸入を防止できる。
戸先側竪枠１３と戸先側竪框２１の間の下部と上部にはタイト材２９、３１を設けているので、第１実施の形態と同様に、特に水を受けやすい戸１の上部と下部とで、第１実施の形態と同様に防水を高めることができる。
障子５を開くと、通気路Ｋを形成している戸先側竪框２１及び戸先側竪枠１３の対向面が露出できるから通気路Ｋの清掃等のメンテナンスが容易にできる。特に、通気路Ｋは空気が流れる部分であるから、埃が溜まり易く汚れ易いので、常に目が届く戸先側で換気をすることにより、汚れに気付き易い。
通気路Ｋを形成している戸先側竪枠１３において、浴室側突部５７と脱衣室側突部５９との間で戸先側竪框１９との対向面には、水切り部５３を形成しているので、万が一戸先側竪枠１３の見込み面を伝わって入り込んだ水は水切り部５３により脱衣室側への移動が阻止されると共に水切り部５３に沿って下方に落下して、浴室側に戻すことができる。
【００２３】
図１１及び図１２に本発明の第３実施の形態を示す。第３実施の形態にかかる戸１は、浴室戸であり、障子５は第１実施の形態と同様にドアであるが、障子５の戸先側に通気路Ｋを形成していることが第１実施の形態と主に異なっている。
即ち、図１１（ａ）に示すように、戸先側竪枠１３には、戸先側竪框２１の脱衣室側見付面２１ｂとの間に間隔をあけて対向する対向壁部２７が設けてあり、対向壁部２７は戸先側竪枠１３の見込み面１３ａから枠３の内周側に突設している。戸先側竪枠１３の見込み面１３ａと対向壁部２７とで横断面が略Ｌ字形状を成しており、戸先側竪框２１の見込み面２１ｃと脱衣室側の見付け面２１ｂとで横断面Ｌ字形状を成しており、戸先側竪枠１３のＬ字部分と戸先側竪框２１のＬ字部分とを隙間をあけて対向配置して、浴室側開口５１と脱衣室側開口５２とを連通する横断面がＬ字形状の通気路Ｋを形成している。また、戸先側竪框２１の見込み面２１ｃは、凹状に形成してある。
図１２に示すように、第３実施の形態では、戸先側竪枠１３と戸先側竪框２１との間の上部に上部タイト材２９が上下寸法Ｓで設けてあり、下部に下部タイト材３１が上下寸法Ｕで設けてある。この第３実施の形態では、上部タイト材２９は上枠の下面から戸先側竪枠１３の略半分の寸法Ｓに亘って設けてあり、第１実施の形態よりも上部タイト材２９は長くしてある。また、水返し部４５は戸先側竪框２１の上下方向全体に亘って設けてある。
図１１（ａ）に示すように、吊元側竪枠１１の浴室側部と脱衣室側部には各々、吊元側竪枠１１に当接するタイト材６１、６２が設けてある。また、吊元側竪框１９はタイト材６１、６２との当接面１９ｃを湾曲形状にしてある。図１１及び図１２に示すように、吊元側竪框１９の内部にはヒンジ２５が配置してある。
【００２４】
この第３実施の形態によれば、図１１（ａ）に示すように、戸先側竪枠１３と戸先側竪框２１との間で且つ上部タイト材２９と下部タイト材３１との間の隙間を脱衣室側から浴室側へ連通する通気路Ｋとすることができる。
通気路Ｋでは、障子５の浴室側には、戸先側竪枠１３と戸先側竪框２１との間に形成した通気路の浴室側開口５１の対向した位置に水返し部４５を設けているので、浴室から通気路Ｋへの水の浸入を防止できる。
戸先側竪枠１３と戸先側竪框２１の間の下部と上部にはタイト材２９、３１を設けているので、第１実施の形態と同様に、特に水を受けやすい戸１の上部と下部とで防水を高めることができる。
浴室の蒸気が戸１の上部から脱衣室側に漏れ易いが、更に第３実施の形態では、上部タイト材２９は上枠７の下面から戸先側竪枠１３の略半分に亘って設けてあるので、浴室の蒸気が戸１の上部から脱衣室側へ漏れるのを防止できると共に漏れた蒸気が脱衣室側の天井で結露することによる天井の腐食を防止できる。
図１１（ａ）に示すように、障子５を開くと、通気路Ｋを形成している戸先側竪框２１及び戸先側竪枠１３の対向面が露出できるから通気路Ｋの清掃等のメンテナンスが容易にできる。特に、通気路Ｋは空気が流れる部分であるから、埃が溜まり易く汚れ易いので、常に目が届く戸先側で換気をすることにより、汚れに気付き易い。
戸先側竪框２１の見込み面２１ｃは、凹み状になっているので、万が一浴室から戸先側竪框２１の見込み面２１ｃを伝わって通気路Ｋに入り込んだ水は、凹みにより脱衣室側への移動が阻止されると共に凹みに沿って下方に落下して、浴室側に戻すことができる。
また、第３実施の形態では、図１１（ｂ）に示すように、障子５を開いたときに、戸先側竪枠１３の見込み面１３ａに凹凸が少ないから、清掃し易い。
水返し部４５は、戸先側竪枠１３の浴室側見付面１３ｂに対向して位置しているので、第２実施の形態のように、戸先側竪枠１３の内周側見込面１３ａに対向している場合に比較して浴室のシャワー水等が通気路Ｋに入り込むのをより有効に防止でき、水切り効果が高い。
吊元側竪框１９は、タイト材６１、６２との当接面を曲面としてあると共に吊元側竪框１９の内部にヒンジ２５を配置しているので、障子５を開いたときに吊元側竪枠１１と吊元側竪框１９との間の隙間を小さくすることができ、手を挟み難い。
【００２５】
図１３〜図１６に第４実施の形態を示す。第４実施の形態にかかる戸１は、第２実施の形態と同様に、浴室戸で且つ片引き戸であり、図１４に示すように、戸先側竪枠１３と戸先側竪框２１との間の上部に上部タイト材２９が設けてあり、下部に下部タイト材３１が設けてあり、図１３に示すように、戸先側竪框２１の浴室側に水返し部４５が設けてある。水返し部４５は戸先側竪框２１の上下方向全体に亘って形成してある。
【００２６】
図１６に示すように、第４実施の形態では、第３実施の形態と同様に、上部タイト材２９は上枠７の下面から戸先側竪枠１３の略半分の寸法Ｓに亘って設けてある。
また、この第４実施の形態では、図１３に示すように、戸先側竪框２１には、浴室側引き手６３ａと、脱衣室側引き手６３ｂと、水返し部４５が一体に形成してある。浴室側引き手６３ａは、戸先側竪框２１の浴室側見付け面２１ｅから浴室側に直線状に突設した基部６３ｃと、基部６３ｃから浴室側に突設した先端部６３ｄとを有し、先端部６３ｄは図１３及び図１５に示すように、開き側に凹んだ湾曲形状としてある。また、浴室側引き手６３ａの浴室側端部６６は、曲面にしてある。脱衣室側引き手６３ｂは、戸先側竪框２１の脱衣室側見付け面２１ｂから脱衣室側に突設してあり、脱衣室側引き手６３ｂの脱衣室側端部６４は浴室側引き手６３ａの浴室側端部６６と同様に曲面にしてある。
浴室側引き手６３ａはその基部６３ｃと先端部６３ｄとの間には、戸先側竪枠１３側に突設した水返し部４５が形成されており、先端部６３ｄと水返し部４５とで断面略Ｌ字形状を成している。
図１３（ａ）に示すように、戸先側竪枠１３の見込み面１３ａには、枠３の内周側に突設する浴室側突部５７と脱衣室側突部５９とが見込み方向に間隔をあけて形成してあり、戸先側竪枠１３と戸先側竪框２１との間では、脱衣室側突部５９と浴室側突部５７の間に戸先側竪框２１の戸先部２１ａが入り込み且つ引き手６３ａの基部６３ｃと共に、ジグザグ状の通気部Ｋを形成しており、通気部Ｋの浴室側開口５１に水返し部４５が対向して位置している。
図１５（ａ）に示すように、障子５の開き操作は、浴室側では浴室側引き手６３ａの先端部６３ｄに指をかけて操作し、脱衣室側では脱衣室側引き手６３ｂに指をかけて操作することができる。図１５（ｂ）に示すように、障子５の閉じ操作は、浴室側では浴室側引き手６３ａの基部６３ｃや先端部６３ｄに指をかけて操作し、脱衣室側では脱衣室側引き手６３ｂに指をかけて操作することができる。
【００２７】
この第４実施の形態によれば、図１３に示すように、戸先側竪枠１３と戸先側竪框２１との間で且つ上部タイト材２９と下部タイト材３１との間の隙間を脱衣室側から浴室側へ連通する通気路Ｋとすることができる。
通気路Ｋでは、障子５の浴室側には、戸先側竪枠１３と戸先側竪框２１との間に形成した通気路の浴室側開口５１の対向した位置に水返し部４５を設けているので、浴室から通気路Ｋへの水の浸入を防止できる。
戸先側竪枠１３と戸先側竪框２１の間の下部と上部にはタイト材２９、３１を設けているので、第２実施の形態と同様に、特に水を受けやすい戸１の上部と下部とで、第２実施の形態と同様に防水を高めることができる。浴室の蒸気が戸１の上部から脱衣室側に漏れ易いが、この第４実施の形態では、上部タイト材２９は、上枠の下面から戸先側竪枠１３の略半分に亘って設けてあるので、浴室の蒸気が戸１の上部から脱衣室側へ漏れるのを防止できると共に漏れた蒸気が脱衣室側の天井で結露することによる天井の腐食を防止できる。
障子５を開くと、通気路Ｋを形成している戸先側竪框２１及び戸先側竪枠１３の対向面が露出できるから通気路Ｋの清掃等のメンテナンスが容易にできる。特に、通気路Ｋは空気が流れる部分であるから、埃が溜まり易く汚れ易いので、常に目が届く戸先側で換気をすることにより、汚れに気付き易い。
【００２８】
更に、この第４実施の形態によれば、戸先側竪枠１３と戸先側竪框２１とのみが、換気通路Ｋ、引き手６３ａ、６３ｂ及び水返し部４を形成しており、別途部品を必要としていないので、構成が簡易である。
戸先側竪框２１は、戸先部２１ａが浴室側突部５７と脱衣室側突部５９間に入り込むと共に、引き手６３ａ、６３ｂ及び水返し部４５を一体に形成しているので、換気及び止水機能を有しながら、戸先側竪框２１の見付け寸法を小さくでき、框内周側の面積を大きく取ることができる。
図１５に示すように、浴室側引き手６３ａは、基部６３ｃから浴室側に突設した先端部６３ｄを有し、先端部６３ｄは開き側に凹んだ湾曲形状としてあるから、図１５（ａ）に示すように、障子５を開くときには先端部６３ｄの湾曲に指をかけ易く、図１５（ｂ）に示すように障子を閉じるときには、基部６３ｃと先端部６３ｄとの広い範囲に指をかけることができ、操作しやすい。
浴室側引き手６３ａの浴室側端部６６及び脱衣室側引き手６３ｂの脱衣室側端部６４は曲面としてあるので、指が掛け易く且つ肌が触れた場合でも怪我をし難い。
【００２９】
本発明は、上述した実施の形態に限らず、本発明の要旨を逸脱しない範囲で種々変形可能である。
例えば、第１実施の形態や第２実施の形態にかかる戸１は、折り戸であって良い。
上述した実施の形態では、浴室戸を例に用いて説明したが、玄関戸やサッシに用いて、障子一面側を室内側とし、障子他面側を室外側として、通気路Ｋにより室内の換気を図るようにしても良い。
第２実施の形態において、水返し部４５は戸先側竪框２１と別体にして返し部４９には第１実施の形態と同様に、軟質樹脂を用いても良い。
第１実施の形態において水切り部５３は溝に限らず突条としても良い。
第２及び第４実施の形態では、戸１は、２枚戸や３枚戸としても良い。
【符号の説明】
【００３０】
１    戸
３    枠
５    障子
１１  吊り元側竪枠
１３  戸先側竪枠
１９  吊り元側竪框
２１  戸先側竪框
２９  上部タイト材
３１  下部タイト材
４５  水返し部
５１  浴室側開口（障子一面側開口）
５２  脱衣室側開口（障子他面側開口）
Ｋ    通気路
【図１】
0005981864.tif 000002
【図２】
0005981864.tif 000003
【図３】
0005981864.tif 000004
【図４】
0005981864.tif 000005
【図５】
0005981864.tif 000006
【図６】
0005981864.tif 000007
【図７】
0005981864.tif 000008
【図８】
0005981864.tif 000009
【図９】
0005981864.tif 000010
【図１０】
0005981864.tif 000011
【図１１】
0005981864.tif 000012
【図１２】
0005981864.tif 000013
【図１３】
0005981864.tif 000014
【図１４】
0005981864.tif 000015
【図１５】
0005981864.tif 000016
【図１６】
0005981864.tif 000017
【図１７】
0005981864.tif 000018